(57)【要約】  【課題】本体上部の凹部に圧縮機を配置した冷蔵庫の静音化を図る。  【解決手段】断熱箱体１の天部は第一の天面部２５と、背面側で第一の天面部２５より低い位置に設けた第二の天面部２６とで構成され、断熱箱体１の背面は外壁背面１２と前記最上部の貯蔵室との仕切りである断熱板２７によって構成されており、第二の天面部２６と断熱箱体１の側面２と外壁背面１２とによって凹部１０を形成し、凹部１０には接着剤４０にて吸音材４１が配設されることにより、圧縮機から発生される高域周波数音を除去でき、冷凍サイクル構成部品であるドライヤや流路制御弁や配管などから発生される低域周波数から中域周波数音を除去することができる。さらに小容積での防音効果があり、機械室の大きさを低減できる。【選択図】図１
2007057130.tif 000002
【特許請求の範囲】
【請求項１】
前面に扉を備えた貯蔵室が上下に複数配置された箱形本体を有する冷蔵庫において、前記本体の上壁及び背壁に渡る上壁後隅部を前記最上部の貯蔵室の上壁後部が下がるように窪ませた凹部を設け、前記凹部に圧縮機を収納し、前記凹部に吸音材を配設することを特徴とする冷蔵庫。
【請求項２】
前記凹部の底面部に吸音材を配設することを特徴とする請求項１に記載の冷蔵庫。
【請求項３】
前記凹部内側面に吸音材を配設することを特徴とする請求項１に記載の冷蔵庫。
【請求項４】
前記凹部を覆う天面板及び背面板を持ち、前記天面板に吸音材を配設することを特徴とする請求項１に記載の冷蔵庫。
【請求項５】
前記凹部を覆う天面板及び背面板を持ち、前記背面板に吸音材を配設することを特徴とする請求項１に記載の冷蔵庫。
【請求項６】
前記凹部と前記最上部の貯蔵室との仕切りに吸音材を配設することを特徴とする請求項１に記載の冷蔵庫。
【請求項７】
吸音材を多孔質発泡樹脂とすることを特徴とする請求項１から６のいずれか一項に記載の冷蔵庫。
【請求項８】
吸音材を繊維材とすることを特徴とする請求項１から６のいずれか一項に記載の冷蔵庫。
【請求項９】
吸音材をゴムシートとすることを特徴とする請求項１から６のいずれか一項に記載の冷蔵庫。
【請求項１０】
吸音材を合板とすることを特徴とする請求項１から６のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来のこの種の冷蔵庫は、最下部に配設された貯蔵室の収納容積のアップを図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図３は、特許文献１に記載された従来の冷蔵庫の構成を示すものである。
【０００５】
図３に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引出しタイプの冷凍室引出し扉６と野菜室引出し扉７を設けてある。冷蔵室２の庫内には複数の収納棚８が設けられており、冷凍室３と野菜室４には上面開口形状の収納容器９が取り付けてある。この収納容器９は図示しない前後方向のレールに、ローラで前後方向へ移動可能に支持されている。
【０００６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取り外し可能に固定されている。
【０００７】
冷凍サイクルの構成機器である圧縮機１６と凝縮器１７は機械室ファン１８と共に凹部１０内に収まるように配設され、凹部カバー１５にて覆われている。また、凹部カバー１５の上板１３と背板１４には、放熱のために複数の通風孔１９が設けられている。
【０００８】
また、冷凍サイクルの構成機器である蒸発器２０は冷凍室２の後背部に冷却ファン２１と共に配設されており、最下部の貯蔵室である野菜室４は奥行き深く構成してある。これにより、断熱箱体１の背面下部に圧縮機１６や凝縮器１７を収納するものと比較して、野菜室４の内容積を大きく、深く構成できる。
【特許文献１】特開２００１−９９５５２号公報
【発明の開示】
【発明が解決しようとする課題】
【０００９】
しかしながら、上記従来の構成では、圧縮機を天面に配設するために、音源が耳に近づき、背面空間および冷蔵室庫内を通じ音が大きく聞こえることが問題となっている。また、機械室の省スペース化のため機械室が小さくなり、遮音性が悪化している。
【００１０】
さらにまた、冷凍サイクル構成部品であるドライヤや流路制御弁などの配置によって複数の音源が混在し、音がより大きく聞こえる。
【００１１】
さらにまた、圧縮機や凝縮器の大きさだけでなく、接続配管の取りまわしや、冷凍サイクル構成部品であるドライヤや流路制御弁などの配置、配管溶接部の直線部長さ確保など配管振動や組立作業性などを考慮した構成をとると非常に大きな空間が必要で、小体積での防音が問題となっている。
【００１２】
本発明は、上記従来の課題を解決するもので、機械室の内容積を変えず、冷蔵庫の全高寸法を著しく大きくすることなく、静音化を図る冷蔵庫を提供することを目的とする。
【課題を解決するための手段】
【００１３】
上記従来の課題を解決するために、前面に扉を備えた貯蔵室が上下に複数配置された箱形本体を有する冷蔵庫において、前記本体の上壁及び背壁に渡る上壁後隅部を前記最上部の貯蔵室の上壁後部が下がるように窪ませた凹部を設け、前記凹部に圧縮機を収納し、前記凹部に吸音材を配設さることを特徴としたものである。
【００１４】
これによって、圧縮機から発生される高域周波数音を除去でき、冷凍サイクル構成部品であるドライヤや流路制御弁や配管などから発生される低域周波数から中域周波数音を除去することができる。さらに小容積での防音効果があり、機械室の大きさを低減できる。
【発明の効果】
【００１５】
本発明の冷蔵庫は、圧縮機から発生される高域音に加え、冷凍サイクル構成部品であるドライヤや流路制御弁や配管などから発生される低域から中域音までも防音することができる。また、吸音効率の高い材質を用いることで、機械室の小型化ができる。
【発明を実施するための最良の形態】
【００１６】
請求項１に記載の発明は、前面に扉を備えた貯蔵室が上下に複数配置された箱形本体を有する冷蔵庫において、前記本体の上壁及び背壁に渡る上壁後隅部を前記最上部の貯蔵室の上壁後部が下がるように窪ませた凹部を設け、前記凹部に圧縮機を収納し、前記凹部に吸音材を配設することにより、圧縮機から発生される高域周波数音を除去でき、冷凍サイクル構成部品であるドライヤや流路制御弁や配管などから発生される低域周波数から中域周波数音を除去することができる。また、小容積での防音効果があり、機械室の大きさを低減できる。
【００１７】
請求項２に記載の発明は、請求項１に記載の発明において、前記凹部の底面部に吸音材を配設することにより、圧縮機から発生される高域周波数音を除去でき、冷凍サイクル構成部品であるドライヤや流路制御弁や配管などから発生される低域周波数から中域周波数音を除去することができる。さらに小容積での防音効果があり、機械室の大きさを低減できる。さらに接着面を必要とせず配設でき、安価で作ることができる。さらに圧縮機の下に配設することで圧縮機の振動を防止できる。
【００１８】
請求項３に記載の発明は、請求項１に記載の発明において、前記凹部の内側面に吸音材を配設することにより、圧縮機から発生される高域周波数音を除去でき、冷凍サイクル構成部品であるドライヤや流路制御弁や配管などから発生される低域周波数から中域周波数音を除去することができる。さらに冷蔵庫本体の左右への騒音を小さくでき、冷蔵庫の設置環境による差をなくせる。
【００１９】
請求項４に記載の発明は、請求項１に記載の発明において、前記凹部を覆う天面板及び背面板を持ち、前記天面板に吸音材を配設することにより、圧縮機から発生される高域周波数音を除去でき、冷凍サイクル構成部品であるドライヤや流路制御弁や配管などから発生される低域周波数から中域周波数音を除去することができる。さらに冷蔵庫本体と分離できることで容易に修繕でき、配管接続に必要な溶接を容易にできる。さらに圧縮機の上に配設することで圧縮機の振動を防止できる。
【００２０】
請求項５に記載の発明は、請求項１に記載の発明において、前記凹部を覆う天面板及び背面板を持ち、前記背面板に吸音材を配設することにより、圧縮機から発生される高域周波数音を除去でき、冷凍サイクル構成部品であるドライヤや流路制御弁や配管などから発生される低域周波数から中域周波数音を除去することができる。さらに冷蔵庫本体と分離できることで容易に修繕でき、配管接続に必要な溶接を容易にできる。さらに冷蔵庫本体を壁に接するよう設置することで、吸音効率を向上できる。
【００２１】
請求項６に記載の発明は、請求項１に記載の発明において、前記凹部と前記最上部の貯蔵室との仕切りに吸音材を配設することにより、圧縮機から発生される高域周波数音を除去でき、冷凍サイクル構成部品であるドライヤや流路制御弁や配管などから発生される低域周波数から中域周波数音を除去することができる。さらに前記最上部の貯蔵室との仕切りに吸音材を設けることで、最上部の貯蔵室の扉を開けた場合の音を小さくできる。
【００２２】
請求項７に記載の発明は、請求項１から６のいずれか一項に記載の発明において、吸音材を多孔質発泡樹脂とすることにより、高域周波数音（主に４ＫＨｚ以上）を大きく除去し、人間の感性的に嫌な音を排除することができる。さらに多孔質発泡樹脂を自由に形成することで、機械室内の設置位置を問わず機械室の小さくできる。さらに安価で軽量な冷蔵庫を作ることができる。
【００２３】
請求項８に記載の発明は、請求項１から６のいずれか一項に記載の発明において、吸音材を繊維材とすることにより、低域周波数音から高域周波数音までを除去し、全体的に音を小さくすることができる。さらに繊維材を自由に形成することで、機械室内の設置位置を問わず機械室の小さくできる。
【００２４】
請求項９に記載の発明は、請求項１から６のいずれか一項に記載の発明において、吸音材をゴムシートとすることにより、中域周波数音を除去でき、人間の耳に最も聞こえやすい音を吸収することができる。さらに経年劣化が無いので、部品の修繕の必要が無くなる。
【００２５】
請求項１０に記載の発明は、請求項１から６のいずれか一項に記載の発明において、吸音材を合板とすることにより、中域周波数音を除去でき、人間の耳に最も聞こえやすい音を吸収することができる。さらに遮音効果で低域周波数音から高域周波数音までを除去し、全体的に音を小さくすることができる。さらに経年劣化が無いので、部品の修繕の必要が無くなる。さらに安価な冷蔵庫を作ることができる。
【００２６】
以下、本発明の実施の形態について、図面を参照しながら説明する。なお、この実施の形態によってこの発明が限定されるものではない。
【００２７】
（実施の形態１）
図１は、本発明の実施の形態１における冷蔵庫の概略断面図を示すものであり、図２は同実施の形態における冷蔵庫の概略背面図を示すものである。
【００２８】
図１と図２において、例えば硬質発泡ウレタンなどの断熱材で周囲と断熱して構成されている断熱箱体１は複数の断熱区画に区分されており、上から冷蔵室２、引出しタイプの野菜室４と冷凍室３の構成となっている。各断熱区画にはそれぞれ断熱扉がガスケット２２を介して設けられている。上から冷蔵室回転扉５、野菜室引出し扉７、冷凍室引出し扉６である。
【００２９】
冷蔵室回転扉５には扉ポケット２３が収納スペースとして設けられており、庫内には複数の収納棚８が設けられてある。また冷蔵室２の最下部には引出し可能な貯蔵ケース２４が設けてある。
【００３０】
冷蔵室２は冷蔵保存のために凍らない温度を下限に通常１〜５℃で設定されている。また、貯蔵ケース２４は肉魚などの保鮮性向上のため比較的低めの温度、たとえば−３〜１℃で設定される。野菜室４は冷蔵室２と同等もしくは若干高い温度設定の２℃〜７℃とすることが多い。低温にすれほど葉野菜の鮮度を長期間維持することが可能である。
【００３１】
冷凍室３は冷凍保存のために通常−２２〜−１８℃で設定されているが、冷凍保存状態の向上のために、たとえば−３０や−２５℃の低温で設定されることもある。
【００３２】
断熱箱体１の天部は第一の天面部２５と、背面側で第一の天面部２５より低い位置に設けた第二の天面部２６とで構成されている。
【００３３】
また断熱箱体１の背面は外壁背面１２と前記最上部の貯蔵室との仕切りである断熱板２７によって構成されており、第二の天面部２６と断熱箱体１の側壁４２と外壁背面１２とによって凹部１０を形成している。
【００３４】
凹部１０である第二の天面部２６には吸音材４１ａが配設されている。また凹部１０である断熱箱体１の側面４２には接着剤４０にて吸音材４１ｂが配設されている。また凹部１０である断熱板２７には接着剤４０にて吸音材４１ｃが配設されている。この凹部１０の開放部は、上板１３とこれにほぼ直角な背板１４とからなる凹部カバー１５にて覆われている。また、第一及び第二の天面部２５、２６の上方には上板１３がビスなどで取外し可能に設けられており、接着剤４０にて吸音材４１ｄが配設されている。また、外壁背面１２の上方部である、凹部１０の背面部には背板１４がビスなどで取外し可能に設けられており、接着剤４０にて吸音材４１ｅが配設されている。凹部１０の開放部は、上板１３とこれにほぼ直角な背板１４とからなる凹部カバー１５にて覆われている。
【００３５】
冷凍サイクルは圧縮機１６と凝縮器１７とキャピラリ３０などの減圧器と水分除去を行うドライヤ３１と蒸発器２０とを環状に接続して構成されている。凝縮器１７と蒸発器２０は機械室ファン１８と冷却ファン２１とで強制対流熱交換させている。
【００３６】
特に区画構成や温度設定の構成に応じて複数の蒸発器を使い分ける場合、電動三方弁などの流路制御手段が用いられる。
【００３７】
また、凝縮器１７は強制対流方式のものに加えて、断熱箱体の周囲鋼板を利用して自然放熱するための配管や、各室断熱扉体間の仕切りに配設して防滴防止を行うための配管を組み合わせてもよい。
【００３８】
冷凍サイクルの構成部品である圧縮機１６は第二の天面部の上方空間に設けた凹部５０に備えられており、凝縮器１７はワイヤータイプやフィンコイルタイプやスパイラルフィンタイプなどの薄型構成で第一の天面部２５の上方空間に配設してある。
【００３９】
機械室ファン１８は凹部１０で圧縮機１６と並べて配置してあり、図示しない風路により凝縮器１７と圧縮機１６を強制的に空冷する。このとき圧縮機１６の熱影響を受けて凝縮器１７の能力が低下しないように風の流れが凝縮器１７から圧縮機１６へとなるように風路は構成されている。またドライヤ３１は凹部１０に配設されており、再加熱によるフラッシュガスの発生などを考慮して、温度影響の低い個所や、フレッシュエアが導入される個所に設けられるのが望ましい。
【００４０】
また、冷凍サイクルの構成機器である蒸発器２０は冷却ファン１８と共に、中段に位置する野菜室４の背面部に設けられている。これにより最下段の貯蔵室である冷凍室３の内容積と奥行きを最大限に大きくすることが可能である。
【００４１】
なお、中段の野菜室４と最下段の冷凍室３は逆の構成となれば、野菜室の内容積と奥行きを最大限に大きくすることが可能となる。
【００４２】
以上のように構成された冷蔵庫について、以下その動作、作用を説明する。
【００４３】
まず、冷凍サイクルの動作について説明する。庫内の設定された温度に応じて制御基板２８からの信号により冷凍サイクルが動作して冷却運転が行われる。まず圧縮機１６の動作により吐出された高温高圧の冷媒は、凝縮器１７にて放熱して凝縮液化し、キャピラリ３０に至る。その後、キャピラリ３０ではサクションライン３５と熱交換しながら減圧されて低温低圧の液冷媒となって蒸発器２０に至る。
【００４４】
冷却ファン２１の動作により、庫内の空気と熱交換されて蒸発器２０内の冷媒は蒸発気化する。低温の冷気を図示しないダンパなどで分配することで各室の冷却を行う。また複数の蒸発器を用いる場合は流路制御手段により必要な蒸発器へ冷媒が供給される。蒸発器２０を出た冷媒はサクションライン３５を経て圧縮機１６へと吸い込まれる。低温の庫内各室の温度が十分に設定温度以下となったら、圧縮機１６の運転は停止される。
【００４５】
吸音材４１を凹部１０に吸音材を貼り付けることで、圧縮機から発生される高域周波数音を除去でき、冷凍サイクル構成部品であるドライヤや流路制御弁や配管などから発生される低域周波数から中域周波数音を除去することができる。さらに小容積での防音効果があり、機械室の大きさを低減できる。
【００４６】
また、吸音材４１ａを第二の天面部２６に貼り付けることで、接着面を必要とせず配設でき、安価で作ることができる。
【００４７】
また、圧縮機の下に配設することで圧縮機の振動を防止できる。
【００４８】
また、吸音材４１ｂを断熱箱体１の側面４２に貼り付けることで、冷蔵庫本体の左右への騒音を小さくでき、冷蔵庫の設置環境による差をなくせる。
【００４９】
また、吸音材４１ｃを断熱板２７に貼り付けることで、最上部の貯蔵室の扉を開けた場合の音を小さくできる。
【００５０】
また、吸音材４１ｄを上板１３に貼り付けることで、冷蔵庫本体と分離できることで容易に修繕でき、配管接続に必要な溶接を容易にできる。さらに圧縮機の上に配設することで圧縮機の振動を防止できる。
【００５１】
また、吸音材４１ｅを背板１４に貼り付けることで、冷蔵庫本体と分離できることで容易に修繕でき、配管接続に必要な溶接を容易にできる。さらに圧縮機の上に配設することで圧縮機の振動を防止できる。冷蔵庫本体と分離できることで容易に修繕でき、配管接続に必要な溶接を容易にできる。さらに冷蔵庫本体を壁に接するよう設置することで、吸音効率を向上できる。
【００５２】
また、吸音材を多孔質発泡樹脂にすることで、高域周波数音（主に４ＫＨｚ以上）を大きく除去し、人間の感性的に嫌な音を排除することができる。さらに多孔質発泡樹脂を自由に形成することで、機械室内の設置位置を問わず機械室の小さくできる。さらに安価で軽量な冷蔵庫を作ることができる。
【００５３】
また、吸音材を繊維材にすることで、低域周波数音から高域周波数音までを除去し、全体的に音を小さくすることができる。さらに繊維材を自由に形成することで、機械室内の設置位置を問わず機械室の小さくできる。
【００５４】
また、吸音材をゴムシートにすることで、中域周波数音を除去でき、人間の耳に最も聞こえやすい音を吸収することができる。さらに経年劣化が無いので、部品の修繕の必要が無くなる。
【００５５】
また、吸音材を合板にすることで、中域周波数音を除去でき、人間の耳に最も聞こえやすい音を吸収することができる。さらに遮音効果で低域周波数音から高域周波数音までを除去し、全体的に音を小さくすることができる。さらに経年劣化が無いので、部品の修繕の必要が無くなる。さらに安価な冷蔵庫を作ることができる。
【産業上の利用可能性】
【００５６】
以上のように、本発明の冷蔵庫は、本体上部の凹部に圧縮機を配置したものにおいて、前記凹部に吸音材を配設し、騒音低減を図るものであり、食品貯蔵庫等の用途にも適用できる。
【図面の簡単な説明】
【００５７】
【図１】本発明の実施の形態１における冷蔵庫の概略断面図
【図２】本発明の実施の形態１における冷蔵庫の概略背面図
【図３】従来の冷蔵庫の概略断面図
【符号の説明】
【００５８】
１    断熱箱体
２    冷蔵室（貯蔵室）
３    冷凍室（貯蔵室）
４    野菜室（貯蔵室）
１０  凹部
１６  圧縮機
４１ａ  吸音材
４１ｂ  吸音材
４１ｃ  吸音材
４１ｄ  吸音材
４１ｅ  吸音材
【図１】
2007057130.tif 000003
【図２】
2007057130.tif 000004
【図３】
2007057130.tif 000005